(57)【特許請求の範囲】
【請求項１】
表面に有色のインキ（１１）が塗布された感圧紙（１０）と、前記感圧紙（１０）の上部に配置され、裏面に接着剤（２１）が塗布された透明フィルム（２０）とが一つのセットとなっており、前記感圧紙（１０）と透明フィルム（２０）は積み重ねた状態で透明フィルム（２０）の上面に圧力を加えて感圧紙（１０）のインキ（１１）が透明フィルム（２０）の接着剤（２１）に転移されるように構成され、前記感圧紙（１０）の下部に配置され、インキ（１１）が転移された透明フィルム（２０）を貼り付けて転移されたインキ（１１）の表示を保存することができる保存紙（３０）を含むことを特徴とする感圧シート。
【請求項２】
使用前においては前記透明フィルム（２０）の接着剤（２１）の裏面に接着されて接着剤（２１）を保護し、使用時においては前記透明フィルム（２０）の接着剤（２１）の裏面から剥がされ、使用後においては前記透明フィルム（２０）の接着剤（２１）の裏面に再び接着されて接着剤（２１）及び接着剤（２１）に転移されたインキ（１１）を保護する離型フィルム（２２）または離型紙（２３）を含む請求項１に記載の感圧シート。
【発明の詳細な説明】
【技術分野】
【０００１】
本発明は、感圧紙に加えられる外部圧力の強度に応じて濃度が異なって示される表示を永久的に保存することができる機能を備えた感圧シートに関する。
【背景技術】
【０００２】
通常、感圧シートは、図１のように裏面にインキＡ１が塗布された感圧紙Ａと、前記感圧紙Ａの底部に配置されて感圧紙Ａの裏面に塗布されたインキＡ１が圧力により表面に表示されることができる表示紙Ｂが一つのセットとなっていることが一般的である（以下、‘従来’とする)。
【０００３】
従来は、感圧紙の表面に圧力を加えると、表示紙の表面に圧力を加えた部分及びその部分の圧力強度によってインキが付いたり、またはインキが押し付けられて加えられる圧力値の程度を表示されるようにしたものであって、事務用はもちろん、工業用、医療用、建築用などに多く用いられている。
【０００４】
一例として、工業用の場合、プレスやローラの偏差を確認するために主に用いられるが、プレスの金型表面に感圧シートを置いて圧力を加えた時、表示紙の表面にインキが均等に表示されるか、または噛み合って回転するローラに感圧シートを入れた時、表示紙の表面にインキが均等に表示されるか等を随時に検査して保存し、これを通じて機械的装置をメンテナンスすることにより、常に均等な圧力が加えられるようにしている。
【０００５】
しかしながら、従来は長い時間が経つと表示紙の表面に付いていたインキが蒸発して次第に薄くなったり毀損され、長期的な統計や機械的な欠陥の変化などを正確に分析することができないという問題点があった。
【発明の概要】
【発明が解決しようとする課題】
【０００６】
本発明は、背景技術で言及した従来の問題点を解決するために開発されたものであって、感圧紙に加えられる外部圧力の強度に応じて濃度が異なって透明フィルムに表示されるようにし、特に感圧紙により示された表示を永久的に保存可能とすることにその技術的課題があり、これを解決することに目的がある。
【課題を解決するための手段】
【０００７】
本発明は、前記目的を達成するための手段として、従来の表示紙の代わりに、裏面に接着剤が塗布された透明フィルムを具備して、感圧紙のインキが透明フィルムの接着剤に表示されるように構成することを提案する。
【発明の効果】
【０００８】
前述の手段によれば、感圧紙と透明フィルムを重ねた状態で透明フィルムの上面に圧力を加えると、感圧紙のインキが透明フィルムの接着剤に表示されることができる。すると、接着剤により感圧紙のインキがさらによく表示されるのはもちろん、表示されたインキが揮発して消滅したり、強制的に毀損されることを防止することができるため、永久的な保存が可能となる効果がある。
【図面の簡単な説明】
【０００９】
【図１】従来の感圧シートを示した斜視図である。
【図２】本発明の感圧シートを示した斜視図である。
【図３】本発明のまた他の感圧シートを示した斜視図である。
【図４】本発明のまた他の感圧シートを示した斜視図である。
【図４】本発明のまた他の感圧紙を示した斜視図である。
【発明を実施するための形態】
【００１０】
以下、添付の図面を参照して本発明を説明すれば、次のとおりである。但し、添付の図面は要部に対する説明の便宜のために誇張または省略、もしくは概略的に図示されることができ、説明に用いられる用語及び名称は辞書的な意味ではなく構成の形状や作用、役割などにより含蓄的に決まることができ、位置に対する説明は特に断らない限り、図面を基準として説明する。そして、既登録の公知技術及び通常的技術に対する具体的な説明は要旨を濁す可能性があり、省略または簡単な符号や名称で代替する。
【００１１】
図２に示されたように、本発明による感圧シートは、表面にインキ１１が塗布された感圧紙１０と、前記感圧紙１０の上部に配置され、裏面に接着剤２１が塗布された透明フィルム２０とが一つのセットとなっていることを特徴とする。
【００１２】
従来と対比すれば、感圧紙１０の構成は従来と同一であるが、従来の表示紙Ｂの代わりに、裏面に接着剤２１が塗布された透明フィルム２０が構成される。 
【００１３】
前述の感圧シートの使用方法は、図示されたように従来とは異なって感圧紙１０を裏返してインキ１１が塗布された面が上部を向くようにし、前述の透明フィルム２０を感圧紙１０の上部に配置させるが、接着剤２１が塗布された面が底部を向くようにした状態で、感圧紙１０と透明フィルム２０とを積み重ね、そのような状態で透明フィルム１０の上面に圧力を加えると、感圧紙１０のインキ１１が透明フィルム２０の接着剤２１に表示される。その後、必要に応じて感圧紙１０は除去するか、再使用し、インキ１１が表示された透明フィルム２０は、例えばアルバムなどに貼り付けて保管すればよい。 
【００１４】
前述の使用方法によれば、感圧紙１０のインキ１１は、接着剤２１のベタベタした成分によりよく付くようになって圧力が加えられる部分の表示がさらに精密かつしっかりと表示されるだけでなく、表示されたインキ１１を接着剤２１が閉じ込めている形になるので、自然現象によりインキ１１が揮発して消滅したり、強制的に毀損されることを防止することができるため、永久的な保存が可能となる効果がある。
【００１５】
また、透明フィルム２０は、接着剤２１の上面に透明なフィルムが一体に被覆されて感圧により表示されたインキ１１をさらによく見えるようにすることができるので、感圧部分の識別が明らかとなる効果がある。
【００１６】
前記において、感圧紙１０は従来の感圧紙Ａとは異なって、インキ１１を付ける部分が紙ではなく接着剤２１に付けるものであるので、インキ１１が塗布された支持層が紙からなった場合、接着剤２１に支持層が貼り付いて離れない現象を招く恐れがある。このような現象を防止するために、感圧紙１０は紙ではなくフィルムからなることができ、感圧紙１０に塗布されるインキ１１は粉末状に塗布されることができ、透明フィルム２０に塗布される接着剤２１は多少接着能力の劣る粘着剤が塗布されることができる。 
【００１７】
図３に示されたように、本発明による感圧シートは、透明フィルム２０の接着剤２１の裏面に離型フィルム２２または離型紙２３が接着されることを含むことができる。
【００１８】
前述の離型フィルム２２及び離型紙２３は、透明フィルム２０の接着剤２１に他の異物が接着されて付かないように保護したり、インキ１１の付いた表示が毀損されないように保護するための構成物であって、表面が滑らかに構成されて透明フィルム２０の接着剤２１から剥離が容易であり、インキ１１の付いた表示が明らかに示されるように透明なフィルムまたは不透明な紙で構成されることができる。
【００１９】
前述の離型フィルム２２または離型紙２３の使用方法は、普段、透明フィルム２０の接着剤２１の裏面に貼り付いており、使用時、すなわち、感圧紙１０と透明フィルム２０とを重ねる前に透明フィルム２０から剥がした後に使用し、使用後、すなわち、感圧紙１０のインキ１１が透明フィルム２０の接着剤２１に表示された後、再び透明フィルム２０の接着剤２１に貼り付けられる方法で使用する。
【００２０】
前述の使用方法によれば、インキ１１が表示された透明フィルム２０を保管する前まで接着剤２１に付いたインキ１１の毀損を保護することができるのはもちろん、他の異物が接着剤２１に付くことを防止することができる効果がある。
【００２１】
図４に示されたように、本発明による感圧シートは、感圧紙１０の下部に別途に具備される保存紙３０を含むことができる。 
【００２２】
前述の保存紙３０は、従来の保存紙Ｂの構成と同一であるが、感圧紙１０のインキ１１を付けるためのものではなく、透明フィルム２０の接着剤２１に接着されて透明フィルム２０に付いたインキ１１の表示がさらにはっきりと示されるようにするための構成物であって、表面が透明フィルム２０の接着剤２１によく接着され、接着された状態を長く保持することができ、インキ１１の表示が明らかに示されるように黒紙や白紙からなることができる。
【００２３】
前述の保存紙３０の使用方法は、透明フィルム２０の接着剤２１に感圧紙１０のインキ１１を付けた後、前述の離型フィルム２２または離型紙２３を使用せず、直ぐに保存紙３０に透明フィルム２０を貼り付ける方式で使用する。 
【００２４】
前述の使用方法によれば、インキ１１が付いた透明フィルム２０を直ちに保存紙３０に貼り付けて保管することができるので、保管が容易であることはもちろん、インキ１１の毀損可能性を減らすことができる効果がある。
【００２５】
図５に示されたように、本発明による感圧シートは、感圧紙１０の表面に塗布されるインキ１１はそれぞれ異なる色が層１１１、１１２、１１３をなして形成されることを含むことができる。 
【００２６】
前述の層１１１、１１２、１１３は感圧時、圧力の程度に応じて表示される色相が異なって示されるようにするための構成であって、前述の層１１１、１１２、１１３は、例えば上から赤、緑、青の３原色で形成されることができる。 
【００２７】
前述の層１１１、１１２、１１３を含むことになると、感圧紙１０に加えられる圧力の程度によって接着剤２１に付く色が混合された色または各々の色で演出されるが、最も低い圧力には赤、中間程度の圧力には緑色または赤色と緑色が混合された黄色、最も高い圧力には青または３原色が混合された黒色が演出される。前記において混合された色の演出は主に擦られるところに適用時に示される。これは、特にプレスやローラなどの工業用に適用されて圧力の偏差を識別することに有用な効果がある。
【００２８】
以上のように本発明について説明したが、本発明が属する技術分野において通常の知識を有する者であれば、本発明の具体的な内容及び添付の図面から本発明において追求しようとする思想を十分に把握すべきであり、これに基づき様々な応用及び変更を加えて産業的にも有用に利用可能である。
【符号の説明】
【００２９】
１０：感圧紙
１１：インキ
２０：透明フィルム 
２１：接着剤
２２：離型フィルム
２３：離型紙
３０：表示紙
１１１、１１２、１１３：層
【図１】
0006805231.tif 000002
【図２】
0006805231.tif 000003
【図３】
0006805231.tif 000004
【図４】
0006805231.tif 000005
【図５】
0006805231.tif 000006